(57)【特許請求の範囲】
【請求項１】
無線ネットワークの基地局とユーザ装置（ＵＥ）との間の上りリンク通信中のタイミング・アドバンスを実現する方法であって、前記方法は、
送信前処理のためにスケジューリングされる少なくとも１つのサブフレームを選択する工程であって、前記送信前処理では、前記ＵＥから前記基地局に送信される各サブフレーム内のペイロード・データは前記上りリンク通信を介して送信される前に処理される工程と、
前記タイミング・アドバンスの値だけ、前記少なくとも１つのサブフレームの持続時間を削減して少なくとも１つの削減持続時間サブフレームを生成する工程と、
前記少なくとも１つの削減持続時間サブフレーム内のペイロード・データの少なくとも一部分を、予め選択された置換値で置換する工程と、
前記予め選択された置換値で置換された前記ペイロード・データの前記少なくとも一部分の送信前処理を保留する工程と、
前記少なくとも１つのサブフレームの何れかの残りの部分の送信前処理を行う工程であって、前記少なくとも１つのサブフレームの前記残りの部分の処理時間が少なくとも前記タイミング・アドバンスの値だけ削減される工程と、
前記基地局に向けて前記上りリンク通信を介して前記少なくとも１つの削減持続時間サブフレームを送信する工程と
を含む方法。
【請求項２】
請求項１記載の方法であって、前記少なくとも１つのサブフレームは、ペイロード・データをそれぞれが有する複数のシンボルを備え、
前記少なくとも１つのサブフレームの持続時間を削減する工程は、前記複数のシンボルのうち少なくとも１つのシンボルの持続時間を前記少なくとも１つのサブフレーム毎に削減する工程を含み、前記少なくとも１つのシンボルそれぞれの削減持続時間の組み合わせが前記タイミング・アドバンスの値に等しく、
ペイロード・データの少なくとも一部分を置換する工程は、前記少なくとも１つのシンボルそれぞれの残りの部分を予め選択された置換値で置換する工程を含み、
前記予め選択された置換値を有する前記ペイロード・データの前記少なくとも一部分の送信前処理を保留する工程は、前記少なくとも１つのシンボルそれぞれの送信前処理を省略する工程を含み、
前記少なくとも１つのサブフレームの何れかの残りの部分を処理する工程は、ペイロード・データをなお含む前記少なくとも１つのサブフレームの何れかの残りのシンボルを処理する工程を含む方法。
【請求項３】
請求項２記載の方法であって、
前記少なくとも１つのサブフレームの持続時間を削減する工程は、前記少なくとも１つのサブフレーム内の少なくとも１つのシンボルの前記ペイロード・データの少なくとも一部分を廃棄する工程を含み、前記タイミング・アドバンスの計算に含められる、前記無線ネットワークの何れかの適用可能なデフォルトのガード時間は少なくとも前記タイミング・アドバンスの値に等しく、
前記方法は更に、前記少なくとも１つのシンボルの前記残りの部分を前記予め選択された置換値で置換する工程を含む方法。
【請求項４】
請求項１記載の方法であって、
フル・サブフレームとして前記少なくとも１つのサブフレームに対する隣接サブフレームを処理する工程と、
前記上りリンク通信内で、前記隣接サブフレーム及び前記少なくとも１つの削減持続時間サブフレームを送信する工程と
を更に含む方法。
【請求項５】
請求項１乃至４の何れか一項に記載の方法であって、前記少なくとも１つの削減持続時間サブフレーム内に前記予め選択された置換値を組み入れる工程は、前記少なくとも１つのサブフレームから欠落しているペイロード・データを回復するためのエラー訂正機構及びデータ回復アルゴリズムの一方を適用するよう前記基地局をトリガする方法。
【請求項６】
請求項１乃至４の何れか一項に記載の方法であって、前記予め選択された置換値は、低エネルギ標本の系列、又は最大エネルギ標本の系列の少なくとも一方を時間領域において含む方法。
【請求項７】
請求項１乃至４の何れか一項に記載の方法であって、
前記少なくとも１つのサブフレームの対応する重複する複製内の前記少なくとも１つのサブフレームそれぞれの前記ペイロード部分の完全な複製を処理する工程であって、前記対応する重複する複製は、前記上りリンク通信上で生じる伝送エラーからの効率的なデータ回復を可能にするよう生成される工程と、前記少なくとも１つのサブフレームの完全なペイロード部分の処理済バージョンを有するフル・サブフレームとして、前記少なくとも１つのサブフレームの前記重複する複製で前記上りリンク通信を補足する工程と
を更に含む方法。
【請求項８】
請求項２又は３に記載の方法であって、前記少なくとも１つのサブフレームの前記残りのシンボルを処理する工程は、前記少なくとも１つのサブフレームの前記残りのシンボル毎に部分的な送信直交周波数分割多重（ＴＸ−ＯＦＤＭ）シンボルを計算する工程を含み、前記タイミング・アドバンスによって影響を受けず、シンボル全てを処理させる各サブフレームは、フルＴＸ−ＯＦＤＭシンボルを生成し、前記部分的なＴＸ−ＯＦＤＭシンボルを生成するための時間は、少なくとも、前記タイミング・アドバンスの値だけ、前記フルＴＸ−ＯＦＤＭシンボルを生成するための時間より短い、方法。
【請求項９】
請求項１乃至４の何れか一項に記載の方法であって、前記少なくとも１つのサブフレームの持続時間を削減する工程は、前記少なくとも１つのサブフレームの前記ペイロード・データの少なくとも１つの部分を除去することにより、前記少なくとも１つのサブフレームを打ち切る工程を含む方法。
【請求項１０】
無線ネットワークの基地局とユーザ装置（ＵＥ）との間の上りリンク通信中のタイミング・アドバンスを実現する方法であって、前記方法は、
送信前処理のためにスケジューリングされる少なくとも１つのサブフレームを選択する工程であって、前記送信前処理では、前記ＵＥから前記基地局に送信される各サブフレーム内のシンボルが、前記上りリンク通信を介して送信される前に処理される工程と、
前記少なくとも１つのサブフレームそれぞれの少なくとも１つの選択シンボルの持続時間を削減して少なくとも１つの削減持続時間サブフレームを生成する工程であって、前記少なくとも１つのサブフレームそれぞれがペイロード・データを有する少なくとも１つのシンボルを備え、前記少なくとも１つの削減持続時間サブフレームの選択シンボルそれぞれの持続時間における削減の組み合わせが前記タイミング・アドバンスの値以上である工程と、
前記少なくとも１つの選択シンボルそれぞれのペイロード・データの残りの部分を予め選択された置換値で置換する工程と、
前記少なくとも１つの削減持続時間サブフレームの送信前処理中に前記少なくとも１つの選択シンボルそれぞれをバイパスする工程と、
前記少なくとも１つの削減持続時間サブフレームの何れかの残りのシンボルの送信前処理を行う工程であって、前記少なくとも１つの削減持続時間サブフレームの処理時間が少なくとも前記タイミング・アドバンスの値だけ削減される工程と、
前記基地局に向けて、前記上りリンク通信を介して前記少なくとも１つの削減持続時間サブフレームを送信する工程と
を含む方法。
【請求項１１】
請求項１０記載の方法であって、
前記少なくとも１つの削減持続時間サブフレーム内の各シンボルが選択シンボルである場合、ペイロード・データの残りの部分を置換する工程は、サブフレーム全体を、前記予め選択された置換値の系列で置換する工程を含み、前記方法は、前記サブフレーム全体の送信前処理をバイパスする工程を含む方法。
【請求項１２】
請求項１０記載の方法であって、
前記少なくとも１つの選択シンボルの前記ペイロード・データの少なくとも一部分を廃棄することにより、前記少なくとも１つのサブフレームを打ち切る工程と、
フル・サブフレームとして前記少なくとも１つのサブフレームに対する隣接サブフレームを処理する工程と、
前記上りリンク通信内で、前記隣接サブフレーム及び前記少なくとも１つの削減持続時間サブフレームを送信する工程と
を更に含む方法。
【請求項１３】
請求項１０に記載の方法であって、前記予め選択された置換値は、低エネルギ標本の系列、又は最大エネルギ標本の系列の少なくとも一方を時間領域において含む方法。
【請求項１４】
請求項１０乃至１３の何れか一項に記載の方法であって、前記少なくとも１つのサブフレームの前記残りのシンボルを処理する工程は、前記少なくとも１つのサブフレームの前記残りのシンボル毎に部分的な送信直交周波数分割多重（ＴＸ−ＯＦＤＭ）シンボルを計算する工程を含み、前記タイミング・アドバンスによって影響を受けず、シンボル全てを処理させる各サブフレームは、フルＴＸ−ＯＦＤＭシンボルを生成し、前記部分的なＴＸ−ＯＦＤＭシンボルを生成するための時間は、少なくとも、前記タイミング・アドバンスの値だけ、前記フルＴＸ−ＯＦＤＭシンボルを生成するための時間より短く、前記方法は更に、前記フル・シンボルの送信前処理を行うための通常の時間から前記タイミング・アドバンスの値を減算した結果に対応する、前記少なくとも１つのサブフレームの送信前処理時間における遅延を挿入する工程を含む方法。
【請求項１５】
請求項１０乃至１３の何れか一項に記載の方法であって、
前記少なくとも１つのサブフレームの対応する重複する複製内の前記少なくとも１つのサブフレームそれぞれの前記ペイロード部分の完全な複製を処理する工程であって、前記対応する重複する複製は、前記上りリンク通信上で生じる伝送エラーからの効率的なデータ回復を可能にするよう生成される工程と、
前記少なくとも１つのサブフレームの前記完全なペイロード部分の処理済バージョンを有するフル・サブフレームとして、前記少なくとも１つのサブフレームの前記重複する複製で前記上りリンク通信を補足する工程と
を含み、
前記少なくとも１つの削減持続時間サブフレーム内に前記予め選択された置換値を組み入れる工程は、前記少なくとも１つのサブフレームから欠落しているペイロード・データを回復するためのエラー訂正機構及びデータ回復アルゴリズムの一方を適用するよう前記基地局をトリガする方法。
【請求項１６】
無線通信ネットワーク内で通信するユーザ装置（ＵＥ）であって、前記ＵＥは、
トランシーバと、
前記トランシーバに結合され、前記ＵＥの、前記ネットワークの基地局との上りリンク通信中のタイミング・アドバンスの起動に応じて、
送信前処理のためにスケジューリングされる少なくとも１つのサブフレームを選択する工程であって、前記送信前処理において、前記ＵＥから前記基地局に送信される各サブフレーム内のシンボルが、前記上りリンク通信を介して送信される前に処理される工程と、
前記少なくとも１つのサブフレームそれぞれの少なくとも１つの選択シンボルの持続時間を削減して、少なくとも１つの削減持続時間サブフレームを生成する工程であって、前記少なくとも１つのサブフレームそれぞれが、ペイロード・データを有する少なくとも１つのシンボルを備え、前記少なくとも１つの削減持続時間サブフレームの選択シンボルそれぞれの前記持続時間における削減の組み合わせは、前記タイミング・アドバンスの値以上である工程と、
予め選択された置換値で、前記少なくとも１つの選択シンボルそれぞれのペイロード・データの残りの部分を置換する工程と、
前記少なくとも１つの削減持続時間サブフレームの送信前処理中に前記少なくとも１つの選択シンボルそれぞれをバイパスする工程と、
前記少なくとも１つのサブフレームの何れかの残りのシンボルの送信前処理を行う工程であって、前記少なくとも１つの削減持続時間サブフレームの前記残りのシンボルの処理時間が、少なくとも前記タイミング・アドバンスの値だけ削減される工程と、
前記基地局に向けて、前記上りリンク通信を介して前記少なくとも１つの削減持続時間サブフレームを送信する工程とを行う処理装置と
を備え、
前記少なくとも１つの削減持続時間サブフレーム内の各シンボルが選択シンボルである場合、前記処理装置が、サブフレーム全体を、前記予め選択された置換値の系列で置換し、前記サブフレーム全体の送信前処理をバイパスするＵＥ。
【請求項１７】
請求項１６記載のＵＥであって、
前記少なくとも１つの選択シンボルの前記ペイロード・データの少なくとも一部分を廃棄することにより、前記少なくとも１つのサブフレームを打ち切る工程と、
フル・サブフレームとして前記少なくとも１つのサブフレームに対する隣接サブフレームを処理する工程と、
前記上りリンク通信内で、前記隣接サブフレーム及び前記少なくとも１つの削減持続時間サブフレームを送信する工程と
を更に含むＵＥ。
【請求項１８】
請求項１６に記載のＵＥであって、前記予め選択された置換値は、低エネルギ標本の系列、又は最大エネルギ標本の系列の少なくとも一方を時間領域において含むＵＥ。
【請求項１９】
請求項１６乃至１８の何れか一項に記載のＵＥであって、前記処理装置は、前記少なくとも１つのサブフレームの前記残りのシンボル毎の、部分的な送信直交周波数分割多重（ＴＸ−ＯＦＤＭ）シンボルの計算により、前記少なくとも１つのサブフレームの前記残りのシンボルを処理し、前記タイミング・アドバンスによって影響を受けず、シンボル全てを処理させる各サブフレームは、フルＴＸ−ＯＦＤＭシンボルを生成し、前記部分的なＴＸ−ＯＦＤＭシンボルを生成するための時間は、少なくとも、前記タイミング・アドバンスの値だけ、前記フルＴＸ−ＯＦＤＭシンボルを生成するための時間より短く、前記処理装置は、前記フル・シンボルの送信前処理を行うための通常の時間から前記タイミング・アドバンスの値を減算した結果に対応する、前記少なくとも１つのサブフレームの送信前処理時間における遅延を挿入するＵＥ。
【請求項２０】
請求項１６乃至１８の何れか一項に記載のＵＥであって、前記処理装置は、
前記少なくとも１つのサブフレームの対応する重複する複製内の前記少なくとも１つのサブフレームそれぞれの前記ペイロード部分の完全な複製を処理する工程であって、前記対応する重複する複製は、前記上りリンク通信上で生じる伝送エラーからの効率的なデータ回復を可能にするよう生成される工程と、
前記少なくとも１つのサブフレームの前記完全なペイロード部分の処理済バージョンを有するフル・サブフレームとして、前記少なくとも１つのサブフレームの前記重複する複製で前記上りリンク通信を補足する工程と
を行い、
前記少なくとも１つの削減持続時間サブフレーム内への前記予め選択された置換値の組み入れは、前記少なくとも１つのサブフレームから欠落しているペイロード・データを回復するためのエラー訂正機構及びデータ回復アルゴリズムの一方を適用するよう前記基地局をトリガするＵＥ。
【請求項２１】
請求項１〜１５のうち何れか１項に記載の方法を前記ユーザ装置のコンピュータに実行させるコンピュータプログラム。
【発明の詳細な説明】
【技術分野】
【０００１】
本発明は一般に、無線通信に関し、特に、無線通信におけるタイミング・アドバンスに関する。
【背景技術】
【０００２】
ロング・ターム・エボリューション（ＬＴＥ）通信システムでは、エボルブド・ノードＢ（ｅＮＢ）又は基地局は、ユーザ装置（ＵＥ）と基地局との間の距離の変動を補償するためにネットワークに代わってタイミング・アドバンスを起動させることが可能である。ＵＥは、タイミング・アドバンス・コマンド中に送信している場合、特定のサブフレームまで、旧いタイミングを維持しなければならず、ＵＥは、次のサブフレームの最初に瞬時アドバンスを適用しなければならない。
【発明の概要】
【発明が解決しようとする課題】
【０００３】
基本的には、前述の移動は、標本の喪失をもたらし、更に、ＵＥがフル送信直交周波数分割多重（ＴＸ−ＯＦＤＭ）シンボルを計算するための時間の喪失をもたらす。しかし、標本の結果として生じる喪失は、ＯＦＤＭに必要な計算量を削減するものでない。ＵＥがなお、フル・シンボルを計算し、次いで、タイミング・アドバンス・コマンドに準拠するために必要に応じて標本を廃棄するからである。前述のタイミング・アドバンス・シナリオを処理するために、より高速なクロック、又はハードウェアの重複が通常、必要である。
【課題を解決するための手段】
【０００４】
説明された実施例は、添付図面とともに読むものとする。
【図面の簡単な説明】
【０００５】
【図１】一実施例による、無線通信ネットワーク内で利用され、説明された実施例の構成を効果的に組み入れることが可能なユーザ装置（ＵＥ）を示すブロック図表現である。
【図２】一実施例による、図１の例示的なＵＥ、及び基地局を備える無線通信ネットワークの単一のセルを示すブロック図表現である。
【図３】１つ又は複数の実施例による、少なくとも１つのサブフレームに影響を及ぼすタイミング・アドバンスを実現する一方で、ＵＥによって処理される伝送サブフレームの系列を示す図である。
【図４】一実施例による、サブフレーム・レベル・タイミング・アドバンスを実現する方法を示すフロー図である。
【図５】一実施例による、タイミング・アドバンスによって影響を受けるシンボルの拡大図を含む、ＵＥによって処理されている伝送サブフレームを示すシンボル・レベルの図である。
【図６】別の実施例による、タイミング・アドバンスのシンボル・レベル処理を実現する方法を示すフロー図である。
【発明を実施するための形態】
【０００６】
例証的な実施例は、無線通信ネットワーク内のＵＥと基地局との上りリンク通信中のタイミング・アドバンスの効率的な実現を提供する方法及びユーザ装置（ＵＥ）を提供する。第１の実施例では、方法は、送信前処理のためにスケジューリングされた少なくとも１つのサブフレームを選択する工程を含む。上記方法は更に、タイミング・アドバンスの値だけ、少なくとも１つのサブフレームの持続時間を削減して、少なくとも１つの削減持続時間サブフレームを生成する工程と、少なくとも１つの削減持続時間サブフレーム内の少なくともペイロード・データ部分を、予め選択された置換値で置換する工程とを含む。次いで、方法は、予め選択された置換値で置換されたペイロード・データを備えるサブフレームの少なくとも一部分の送信前処理を保留する工程と、少なくとも１つの削減持続時間サブフレームの何れかの残りの部分を処理する工程とを提供する。削減持続時間サブフレームの部分の選択的な処理の結果として、少なくとも１つの削減持続時間サブフレームの処理時間が少なくとも、タイミング・アドバンスの値だけ削減される。最後に、方法は、基地局に向けて上りリンク・ストリームを介して少なくとも１つの削減持続時間サブフレームを送信する工程を含む。上記方法では、送信前処理中に、ＵＥから基地局に送信された各サブフレーム内の個別化された部分（例えば、シンボル）は、上りリンク通信を介して送信される前に処理される。
【０００７】
シンボル・レベルにおけるユーザ装置（ＵＥ）からの上りリンク通信のためのタイミング・アドバンスを実現する方法を提供する第２の実施例では、上記方法は、複数のペイロード・データ・シンボルを含む少なくとも１つのサブフレームを選択する工程と、少なくとも１つのサブフレームそれぞれの少なくとも１つの選択シンボルの持続時間を削減して、少なくとも１つの削減持続時間サブフレームを生成する工程と、少なくとも１つの選択シンボルそれぞれのペイロード・データの残りの部分を予め選択された置換値で置換する工程と、少なくとも１つの削減持続時間サブフレームの送信前処理中に少なくとも１つの選択シンボルそれぞれをバイパスする工程と、少なくとも１つの削減持続時間サブフレームの処理時間が、少なくともタイミング・アドバンスの値だけ削減されるように、少なくとも１つの削減持続時間サブフレームの何れかの残りのシンボルの送信前処理を行う工程と、基地局に向けて上りリンク通信を介して少なくとも１つの削減持続時間サブフレームを送信する工程とを含む。
【０００８】
本開示の例示的な実施例の以下の詳細な説明では、本開示の種々の局面を実施し得る特定の例示的な実施例を、当業者が本発明を実施することを可能にするために十分詳細に説明し、他の実施例を利用し得、本開示の趣旨又は範囲から逸脱しない限り、論理的、アーキテクチャ上、プログラム上、機械的、電気的、及び他の変更を行い得る。したがって、以下の詳細な説明は、限定的な意味合いで解されないものとし、本開示の範囲は特許請求の範囲及びその均等物によって画定される。
【０００９】
図面の別々の図の説明では、同様な構成要素には、先行する図と同様な名称及び参照符号を与えている。構成要素に割り当てられた特定な数字は、単に説明を助けるために付与され、説明された実施例に対する何れかの（構造上、機能上、又はその他の）限定を示唆することを意味するものでない。
【００１０】
本明細書及び特許請求の範囲記載の実行するユーティリティ、ロジック、及び／又はファームウェアのものなどの特定のコンポーネント、デバイス、及び／又はパラメータ名の使用は、例に過ぎず、説明された実施例に対する如何なる限定をも意味するものでない。よって、限定なしで、本明細書及び特許請求の範囲記載の構成部分、デバイス、パラメータ、方法、及び／又は機能を表すために利用される別々の用語及び／又は術語で表し得る。実施例の１つ又は複数の構成要素、構成又は概念を表すうえでの何れかの特定のプロトコル又は固有の名称への言及は、一実現形態の例として行われているに過ぎず、前述の言及は、別の構成要素、構成、プロトコル、又は概念の名称が利用される実施例への、特許請求の範囲記載の実施例の拡張を限定するものでない。よって、本明細書及び特許請求の範囲に記載された各用語には、当該用語が利用されるコンテキストを前提としてその最も広い解釈が与えられるものとする。
【００１１】
以下に更に説明するように、本明細書及び特許請求の範囲記載の本発明の機能的構成の実現形態は、処理デバイス及び／又は構造内で提供され、上記デバイス用の特定のユーティリティを提供するよう実行するソフトウェアレベルのいくつかの構成体（例えば、プログラム・コード及び／又はプログラム命令及び／又は擬似コード）、及びハードウェア、ファームウェアの組み合わせの使用が関係し得る。提示された図は、本開示を通じてユーザ装置（ＵＥ）として参照される、無線通信デバイス・アーキテクチャ内のハードウェア構成部分及びソフトウェア及び／又はロジック構成部分を例証する。本開示の特定の局面は、ロング・ターム・エボリューション（ＬＴＥ）ベースの無線ネットワークに適用可能であり、対応するＬＴＥ通信プロトコルに関連付け得る名称及びパラメータを利用して、ＬＴＥベース・ネットワーク内で生じているものとして説明する。しかし、本開示は、単にＬＴＥ環境内の実現形態に限定されることを意図するものでなく、他のタイプのネットワーク及び／又はネットワーク・プロトコルへの、本明細書及び特許請求の範囲記載の機能的構成の拡張は、本開示の均等物内にまさに収まるものとして想定される。
【実施例】
【００１２】
次に図面を参照し、特に、説明された実施例の機能的局面のうちの特定の局面を効果的に実現することがその中で可能であるその例示的なユーザ装置（ＵＥ）のブロック図表現を提供する図１を参照する。本開示の実施例では、ＵＥ１００は、単一で、かつ／又は組み合わせで、例証された構成部分の１つ又は複数を利用する説明された実施例の種々の構成を実現する。一実施例では、ＵＥ１００は、（ａ）通信ネットワーク内で、無線で通信し、（ｂ）デバイスがそれと通信するその基地局に対して物理的に移動させることが可能な、セルラ電話機、スマートフォン、双方向無線通信デバイス、ラップトップ、ネットブック、タブレット型コンピュータ、又は同様なデバイスなどのモバイル・デバイスである。そういうものとして、ＵＥ１００は、上りリンク通信中にタイミング・アドバンスを行うことが必要であり得る何れかのタイプの通信デバイスであり得る。ＵＥ１００は一般に、通信するよう物理構成部分の大半がそれに結合されるそのシステム・バス・インタフェース１０５によって構成される。
【００１３】
ＵＥ１００は、話を単純にするためにインタフェース回路１２０として表される通信インタフェース処理回路１２０、及びプロセッサ１１０を備える。アプリケーション・プロセッサ１１０としても表すことが可能なプロセッサ１１０は、信号処理の送受信機能に直接関係しないデバイス・レベルのアプリケーション処理の大半を制御する。ＵＥ１００の前述の信号処理機能は一般に、例証された実施例ではインタフェース回路１２０によって提供される。インタフェース回路１２０は、送信直交周波数分割多重（ＴＸ  ＯＦＤＭ）ファームウェア１２４を例証する１つ又は複数の信号処理ファームウェア、及びディジタル信号プロセッサ（ＤＳＰ）又は信号処理装置（ＳＰＵ）１２２を備え得る。明細書を通じて、ＤＳＰ／ＳＰＵ１２２は単にＳＰＵ１２２として表すことが可能である。ＴＸ  ＯＦＤＭファームウェア１２４内には、本明細書及び特許請求の範囲に記載するように、タイミング・アドバンスのＵＥの効率的な処理に関する種々の機能的構成を可能にするファームウェア・モジュールを一般に表すタイミング・アドバンス・ユーティリティ１２６がある。一実施例では、タイミング・アドバンス・ユーティリティ１２６は、ＴＸ  ＯＦＤＭファームウェア１２４のレガシー・バージョンを有する既存のＵＥ１２４に対するファームウェア・アップグレードであり得る。よって、別個のユーティリティを介して実現されているものとして示しているが、タイミング・アドバンス・ユーティリティ１２６によって提供される機能は、インタフェース処理回路１２０の既存のファームウェアに付加された１つ又は複数のＤＳＰ実行可能なコードによって提供することが可能である。更に、信号処理装置１２２は、まず、送信前処理中に、概してサブフレーム、又は選択されたサブフレームの個々のシンボルを処理するためにタイミング・アドバンス・ユーティリティ１２６及び逆高速フーリエ変換（ｉＦＦＴ）関数のファームウェア・コードを含むＴＸ  ＯＦＤＭファームウェア１２４を実行する。
【００１４】
インタフェース回路１２０には、無線周波数（ＲＦ）トランシーバ集積回路（ＩＣ）１３０が結合される。ＲＦトランシーバＩＣ１３０は単にトランシーバ１３０として表される。トランシーバ１３０は更に、少なくとも１つのアンテナ１３５に結合される。併せて、トランシーバ１３０及びアンテナ１３５は、ＵＥ１００が、エア・インタフェース１５０を介して通信信号を送受信することを可能にする。説明された実施例の大半では、トランシーバ１３０の送出及び受信機能は無線で行われ、無線通信は、ｅＮＢ１７０を例として示す、基地局などの受信デバイスにトランシーバ１３０から転送された信号を伝搬する少なくとも１つのアンテナ１３５によって容易化される。ＵＥ１００からｅＮＢ１７０への信号の伝送は、上りリンク・チャネルとしても表すことが可能な上りリンク通信１３７を介して行われる。逆に、ｅＮＢ１７０からＵＥ１００への信号の伝送は、下りリンク通信１３８を介して行われ得、前述の伝送はアンテナ１３５で受信され、トランシーバ１３０を介してＤＳＰ１２２に転送される。
【００１５】
ＵＥ１００内では、プロセッサ１１０及びインタフェース回路１２０は、システム・バス・インタフェース１０５を介して、メモリ／記憶装置組み合わせ構成部分１４０に接続される。ＵＥ１００の一部の実現形態では、メモリ構成及び記憶装置構成部分を別個に提供することが可能である。メモリ及び記憶装置構成部分１３０は、ＵＥ１００のオペレーティング・ファームウェア１４２、１つ又は複数のアプリケーション１４４、並びに、ユーザ及び／又はデバイス・データ１４６を含み、その一部は、場合によっては、別個の加入者識別モジュール（ＳＩＭ）上に記憶することが可能である。更に、メモリ及び記憶装置構成部分１３０は、概括的に他の情報１４８として例証される他のタイプのソフトウェア・プログラム及び／又はデータを含むことが可能である。
【００１６】
ＵＥ１００は更に、デバイスの汎用クロック信号が提供される複数の機構の何れか１つであり得るシステム・クロック１１５を備える。当該技術分野において知られているように、システム・クロック１１５は、ＵＥ１００による信号処理及び伝送中の周波数生成及び／又は基本処理中のタイミングに必要なクロック信号を供給するために、低周波側に分割され、かつ／又は他のやり方で操作され得る。ＵＥ１００は更に、マイクロフォン、スピーカ、キーパッド又はキーボード、タッチパッド、スタイラス、カメラ、タッチ・センサを含み得る１つ又は複数のＩ／Ｏデバイス１５０も備える。最後に、ＵＥ１００は、周辺デバイスをＵＥ１００に接続することが可能な高品位マルチメディア・インタフェース（ＨＤＭＩ（登録商標））又はユニバーサル・シリアル・バス（ＳＵＢ）などの周辺インタフェース１５５を備える。
【００１７】
次に、無線通信ネットワーク２００の単一セル２０５内のｅＮＢ１７０及びＵＥ１００を略示する図２を参照する。図示するように、ｅＮＢ１７０はアンテナ１７２及びコントローラ１７４を備える。ｅＮＢ１７０は、通信信号を生成し、ｅＮＢ１７０の物理位置から、特にアンテナ１７２からの特定の離間距離内で通信信号を送信することができる。アンテナからの離間放射距離は、セル２０５の破線で示す周囲によって例証される。ＵＥ１００は、上りリンク通信１３７及び下りリンク通信１３８を介してｅＮＢ１７０と通信することができる一方、ＵＥ１００は、物理的にセル２０５内に配置される。当業者はハンドオフの概念に通じており、ＵＥがセル内の一位置から別の位置に移動し、拡張無線ネットワーク内の一セルから別のセルに移動するにつれ、無線通信ネットワーク２００が、ネットワークとのＵＥ１００の持続的な通信をサポートする多数の基地局を備え得るということを当業者は認識している。
【００１８】
図２の例では、ＵＥ１００が移動中であり、位置Ａから、ｅＮＢ１７０とは更に離れた位置Ｂに移動しているものと仮定する。ＵＥ１００がｅＮＢ１７０から離れるにつれ、ＵＥ１００とｅＮＢ１７０との間の上りリンク通信１３７にわたって伝送サブフレームが伝搬するために必要な時間は増加し、それにより、伝送サブフレームの到着が遅くなり、信号の劣化をもたらし得る。よって、更なる伝搬時間を補償するために、ＵＥ１００の信号処理装置１２２は上りリンク通信１３７上のタイミング・アドバンスを実現することが可能である。前述のタイミング・アドバンス処理のトリガは、局所で検出された状態に基づき、更に、ｅＮＢ１７０からのタイミング・アドバンス要求に応じ得る。更に、タイミング・アドバンスのトリガは、ＵＥ１００の移動により、上りリンク通信上で遭遇する何れかの伝搬時間遅延と無関係であり得、この移動ベースのシナリオは、単に、考えられるトリガの一例として提供される。例えば、ＬＴＥでは、ＵＥ１００がｅＮＢ１７０との無線リソース制御（ＲＲＣ）接続を確立したい場合、ＵＥ１００はランダム・アクセス・プリアンブルを送信し、ｅＮＢ１７０はこのプリアンブルに基づいて端末の送信タイミングを推定する。ｅＮＢ１７０は更に、タイミング・アドバンス・コマンドを含むランダム・アクセス応答を送信する。ＵＥ１００は次いで、受信タイミング・アドバンス・コマンドにおいて示されたタイミング・アドバンスに基づいてＵＥの端末送信タイミングを調節することが可能である。タイミング・アドバンスをトリガするのが何であるかにかかわらず、ＵＥ１００及び特に、ＵＥ１００の信号処理装置１２２が上りリンク通信１３７のタイミング・アドバンスを起動させると、タイミング・アドバンス・ユーティリティ１２６の実行は、利用可能なシンボル処理時間における削減を補償するために更なるハードウェア又はより高速なクロックを必要することなく、メンテナンス・タイミング・アドバンスを行う方法を提供する。
【００１９】
本開示によるメンテナンス・タイミング・アドバンスのＵＥ１００による処理をより明確に説明するために、少なくとも１つのサブフレームに影響を与えるタイミング・アドバンスを実現する一方で、ＵＥ１００の信号処理装置１２２による伝送のために処理されている３つのシーケンシャル・サブフレーム３００の上段系列３０１及びタイム・アドバンスされた下段系列３０２を例証する図３を参照する。各系列（３０１、３０２）では、３つの系列サブフレーム（すなわち、サブフレームＮ−１  ３０５、サブフレームＮ３１０、及びサブフレームＮ＋１  ３１５）を示す。サブフレームＮ３１０は特に、上段系列３０１において通常「サイズ及び持続時間」サブフレーム３１０Ａであると識別されており、下段系列３０２において削減サイズ及び持続時間サブフレーム３１０Ｂであると識別されている。具体例として、ＬＴＥプロトコルでは、通常サイズ及び持続時間サブフレームは１ミリ秒（ｍｓ）であり、よって、削減サイズ及び持続時間サブフレームは１ｍｓ未満となる。サイズ及び持続時間の語は、送信前処理が個別のサブフレームＮに対して行われる場合に、サブフレームの実際の物理サイズ、及びサブフレームの特定のサイズを処理するために必要な時間が実質的に相関していることを伝えることを意図している。下段系列３０２では、通常サブフレームＮ３１０Ａは、タイミング・アドバンスを許容するよう、削減サイズ及び持続時間サブフレームＮ  ３１０Ｂを提供するために打ち切られている。話を単純にするために、サブフレームは、概括的にサブフレームＮ３１０として参照され、Ａ及びＢの表記の具体的な使用は、２つの系列のうちの特定の系列を参照する場合にのみ、提示される。サブフレームＮ３１０は中央サブフレームであり、タイミング・アドバンスが実現されるサブフレームを表す。
【００２０】
上段系列３０１は、ＳＰＵ１２２がサブフレームＮ３１０Ａを、タイミング・アドバンスが行われるサブフレームとなるよう選択する第１の時間ｔ１を表す。タイミング・アドバンスのトリガ及び／要求は、サブフレームＮ−ｎ（ここで、ｎは１以上の整数を表す）の送信前処理中を含む、ｔ１前の特定の時間ｔ０において受信することが可能である。ＬＴＥプロトコルでは、タイミング・アドバンスがＵＥ１００によって処理される６サブフレーム前にタイミング・アドバンス・トリガを受信することが可能である。通常処理（すなわち、タイミング・アドバンスなし）の間、上りリンク通信上の送信のために送信前処理をサブフレームのペイロード・データが受けるための最大時間量Ｔを最大要し得る。前述の時間Ｔは概括的に、各サブフレームの最初から最後まで延びる通常サイズ及び持続時間の矢印３２０によって表される。例証的な実施例において利用されているように、Ｔは、サブフレームの最大物理サイズ（すなわち、ペイロード量）にも相関している。実際の処理では、ＵＥ１００は、Ｔ以下の時間で各サブフレームを処理することができる。上段系列３０１において更に提供されるように、サブフレームＮ  ３１０Ａのペイロード・データの第１のセグメント３２５は、タイミング・アドバンスを提供するために廃棄し得るセグメント又は部分として識別される。次に続く説明によれば、選択セグメント３２５は、フル・サブフレームＮ３１０  Ａの通常の持続時間３２０の測定時間量３２７に対応し、上記測定時間量３２７と相関しており、上記時間量３２７は少なくとも、タイミング・アドバンス（ＴＡＤ）の量に時間領域で同等である。前述の測定時間量３２７は概括的に、物理セグメント３２５に対応しているとして示す。
【００２１】
そして、下段系列３０２は、実現されているタイム・アドバンスに少なくとも等しい測定時間量３２７に対応する識別された部分又はセグメント３２５に等しい量だけ、削減持続時間サブフレームＮ３１０Ｂが打ち切られている第２の時間ｔ２を表す。サブフレームＮ３１０Ａの打ち切りは、通常のサイズ及び持続時間の矢印３２０に対する新たなサイズ及び持続時間の矢印３３０によって示す削減サイズ及び持続時間サブフレームＮ３１０Ｂを生成する。図３に示すように、３つのサブフレームの結果として生じる系列（３０２）はその場合、測定時間量３２７の値だけ、及び少なくともタイム・アドバンス（ＴＡＤ）の量による拡張分だけ、サブフレ―ムの元の系列（３０１）よりも短い。図３はよって、概括的には、少なくとも１つのサブフレームが打ち切られるサブフレーム・レベルでのタイム・アドバンスの実現を示す。
【００２２】
少なくとも１つの実施例によれば、送信前処理では、ＵＥ１００から基地局（１７０）に送信された各サブフレーム内のペイロード・データは、上りリンク通信１３７を介して送信されているサブフレームに先行してＳＰＵ１３７によって処理される。上りリンク通信１３７を介して送信される結果として生じるフル・サブフレームを生成するための、サブフレームの上段系列３０１の通常の送信前処理中、ＳＰＵ１２２は、サブフレームそれぞれにおけるペイロード全体を計算する。よって、等しいサイズのサブフレームそれぞれの送信前処理は、サブフレームと同等の時間量を要し得る。本開示の一局面によれば、サブフレームの下段系列３０２の処理は、少なくとも１つの通常サブフレーム３１０Ａを打ち切って削減サイズ及び持続時間サブフレームＮ３１０Ｂを生成するのみならず、少なくとも１つのサブフレームの送信前処理時間全体の削減をもたらす更なるいくつかの処理も行うことも関係する。下段系列３０２の処理時間は、少なくとも測定時間量３２７、及び／又はタイミング・アドバンスの量だけ、削減される。よって、タイミング・アドバンスの実際の処理には、図４のフロー図によって示す方法によって提供される機能を含む、サブフレーム・レベルにおける更なる機能をＳＰＵ１２２が行うことが関係する。
【００２３】
図４は、図１及び図２のＵＥ１００などの、ＵＥにおけるサブフレーム・レベルのタイミング・アドバンスを実現する方法を示すフロー図である。方法４００は、ブロック４０２で始まり、方法４００が機能の系列を提供するブロック４０４乃至４１６を行う。方法４００は、送信前処理のためにスケジューリングされた少なくとも１つのサブフレームを選択する工程（ブロック４０４）と、タイミング・アドバンスの値だけ、少なくとも１つのサブフレームの持続時間を削減して、少なくとも１つの削減持続時間サブフレームを生成する工程（ブロック４０６）とを含む。一実施例によれば、少なくとも１つのサブフレームの物理的なサイズ及び持続時間を削減する工程は、サブフレームのペイロード・データの少なくとも１つの部分を除去することにより、少なくとも１つのサブフレームを打ち切る工程（ブロック４０６）を含む。方法機能のシーケンスは次いで、少なくとも１つの削減持続時間サブフレーム内のペイロード・データの少なくとも一部分を、予め選択された置換値で置換する工程（ブロック４０８）と、予め選択された置換値を有するサブフレーム部分の送信前処理を保留する工程（ブロック４１０）と、少なくとも１つのサブフレームの何れかの残りの部分の送信前処理を行う工程であって、少なくとも１つのサブフレームの残りの部分の処理時間が、少なくともタイミング・アドバンスの値だけ削減される工程（ブロック４１２）と、フル・サブフレームの送信前処理を行うための通常時間からタイミング・アドバンスの量を減算した結果に対応する、サブフレームの処理時間における遅延を挿入する工程（ブロック４１４）とを提供する。前述の最後の機能により、少なくとも１つの削減持続時間サブフレームの処理時間が、少なくとも、タイミング・アドバンスの値だけ削減される。更に、一実施例では、少なくとも１つの削減持続時間サブフレーム内に予め選択された置換値を組み入れる（ブロック４１０）ことにより、予め選択された置換値の受信に応じて少なくとも１つのサブフレームから欠落しているペイロード・データを回復するための誤り訂正機構及びデータ回復アルゴリズムの一方を適用するよう基地局（１７０）をトリガする。方法機能の系列は次いで、フル・サブフレームとして少なくとも１つのサブフレームに対する隣接サブフレームを処理する工程（ブロック４１６）と、基地局に向けて、上りリンク通信を介して隣接サブフレーム、及び少なくとも１つの削減持続時間サブフレームを送信する工程（ブロック４１８）とを含む。
【００２４】
ＳＰＵ１２２によって行われる方法機能の連続として、かつ、本開示の別の局面として、方法は更に、少なくとも１つのサブフレームの対応する重複する複製内の少なくとも１つのサブフレームそれぞれのペイロード部分の完全な複製を処理する工程（ブロック４２０）と、少なくとも１つのサブフレームの完全なペイロード部分の完全に処理されたバージョンを有するフル・サブフレームとして少なくとも１つのサブフレームの重複する複製により、上りリンク通信を補足する工程（ブロック４２２）とを含む。一実現形態では、上りリンク通信上で生じる伝送エラーからの効率的なデータ回復を可能にするために、対応する重複する複製が生成される。ブロック４２０及び４２２によって示される方法機能は何れも、任意であり、大半の実施例において割愛することが可能である。更に別の実施例では、予め選択された置換値は、低エネルギ標本の系列、又は最大エネルギ標本の系列の少なくとも一方を時間領域において含む。更に、一実施例では、少なくとも１つのサブフレームの持続時間を削減する工程は、少なくとも１つのサブフレーム内の少なくとも１つのシンボルのペイロード・データの少なくとも一部分を廃棄する工程を含む。前述及び他の実施例では、タイミング・アドバンスの計算に入れられる、無線ネットワークの何れかの適用可能なデフォールト・ガード時間は、少なくともタイミング・アドバンスの値に等しい。方法は次いで、ブロック４２４で終了する。
【００２５】
上記実施例は、ＳＰＵ１２２がサブフレーム・レベルでタイミング・アドバンス処理を実現する方法４００を表しているが、サブフレーム・レベルにおいてではなく、１つ又は複数のサブフレーム内で、シンボル・レベルでタイム・アドバンス処理を行うことが可能である更なる実施例を本明細書及び特許請求の範囲において記載する。前述の更なる実施例では、少なくとも１つのサブフレームはそれぞれ、サブフレームのペイロード・データの小セグメントをそれぞれが有し得る複数のシンボルを備える。個々のシンボルに対する全体的なサブフレーム・ペイロード・データのセグメントの割り当ては、サブフレームを生成するために利用されているプロトコル特有の割り当て方法論によって行うことが可能である。そして、方法４００のタイミング・アドバンス処理内の上記機能は、少なくとも１つのサブフレームの１つ又は複数の削減持続時間シンボルに適用することが可能である。よって、例えば、ペイロード・データの少なくとも一部分を置換する工程は、少なくとも１つのシンボルそれぞれの残りの部分を、予め選択された置換値で置換する工程を含む。更に、予め選択された置換値を有するペイロード・データの少なくとも一部の送信前処理を保留する工程は、少なくとも１つのシンボルそれぞれの送信前の処理を省く工程を含む。最後に、少なくとも１つのサブフレームの何れかの残りの部分を処理する工程は、ペイロード・データをなお含む少なくとも１つのサブフレームの何れかの残りのシンボルを処理する工程を含む。
【００２６】
特に、どのレベルの処理がＳＰＵ１２２によって行われるかにかかわらず、少なくとも１つのサブフレームの結果として生じるサイズ及び／又は持続時間と、特に、少なくとも１つのサブフレームの送信前処理を行うために必要な時間は、少なくともタイミング・アドバンスの値だけ、時間領域において削減される。よって、タイミング・アドバンスのシンボル・レベルの実現形態を提供する実施例の場合、少なくとも１つの削減持続時間シンボルの削減された持続時間の組み合わせ（すなわち、組み合わせに必要な処理時間の量における削減）は、少なくともタイミング・アドバンスの値に等しい。
【００２７】
シンボル・レベル・タイミング・アドバンス・パラダイムでは、少なくとも１つのサブフレームの残りのシンボルを処理する工程は、少なくとも１つのサブフレームの残りのシンボル毎に部分的な送信直交周波数分割多重（ＴＸ−ＯＦＤＭ）シンボルを計算する工程を含む。タイミング・アドバンスによって影響を受けず、よって、そのシンボル全てを処理させる他のサブフレームそれぞれの処理により、フルＴＸ−ＯＦＤＭシンボルが生成される。本開示の一局面によれば、部分的なＴＸ−ＯＦＤＭシンボルを生成するための時間は、少なくとも、タイミング・アドバンスの値から、フルＴＸ−ＯＦＤＭシンボルを生成するための時間を減算した結果である（すなわち、Ｔｐａｒｔｉａｌ≦Ｔｆｕｌｌ−ＴＡＤであり、ここで、ＴＡＤはタイミング・アドバンスである）。
【００２８】
図５は、一実施例により、複数の個々のシンボル５４５の系列として表される、図３のサブフレームＮ３１０であり得る例示的なサブフレーム５１０の図式表現を提供する。特に、図５は、通常サブフレーム５１０Ａのシンボル５４０の上段系列５１０、及び削減持続時間サブフレーム５１０Ｂ又はタイム・アドバンス・サブフレームのシンボル５４０の下段系列５０２を示す。図示したように、サブフレームのバージョン５１０Ａ、５１０Ｂはそれぞれ、番号を付けたシンボル０乃至シンボル１３に範囲が及ぶ、合計１４個のシンボルを有する。各サブフレーム内で伝送されるシンボルの数は、サブフレームが利用される特定の通信プロトコルの設計上の特徴であり、そういうものとして、シンボルの実際の数は一実施例と次の実施例との間で異なり得る。通常サブフレーム５１０Ａの標準的な物理的寸法及び／又は持続時間５２０は、シンボルの下段系列５０２の下に示す。更に、削減された物理的寸法及び／又は持続時間５３０によって示すように、全体的なサイズ及び／又は持続時間を、少なくとも０番目のシンボルの打ち切りに後続して削減して、削減持続時間サブフレーム５１０Ｂを生成する。通常サブフレーム５１０Ａと削減持続時間サブフレーム５１０Ｂとの間の持続時間における削減は、サイズにおける削減及び０番目のシンボルの処理時間における対応する削減（タイム・アドバンス５２７による）によって生じる。
【００２９】
図５は、更に、通常サブフレーム５１０Ａの０番目及び９番目のシンボルの拡大図、並びに、削減持続時間サブフレーム５１０Ｂの０番目のサブフレームの拡大図を示す。通常サブフレーム５１０Ａは、タイム・アドバンス処理前のサブフレーム５１０を表す一方、削減持続時間サブフレーム５１０Ｂは、０番目のシンボルに対するタイム・アドバンス処理後のサブフレーム５１０を表す。詳細Ａ５０４は、例示的な通常シンボル５４０のサブ構成部分の構成の局面を示す。図示したように、通常シンボル５４０は、巡回プレフィックス５４２及びペイロード・データ５４５という２つのセクションを含む。通常シンボル５４０は、巡回プレフィックス５４２のプレフィックス持続時間５４３を、説明された実施例の目的で含む、ペイロード持続時間（Ｔｓ）（詳細Ｂ  ５０６）の処理時間を含む、処理のためのフル持続時間５２２を必要とする。
【００３０】
時間ＴＡＤのタイミング・アドバンスの処理中に、ＳＰＵ１２２は、タイミング・アドバンスを行うために０番目のシンボルから廃棄される対象のペイロード・データ５４５の部分、又は巡回プレフィックス５４２、及びペイロード・データ５４５の部分の組み合わせであり得る、０番目のシンボルの対応する部分を識別する。本明細書の残りの部分では、巡回プレフィックスは、巡回プレフィックスの処理時間と、フル又は削減持続時間シンボルのペイロード・データの全体的な処理時間との間の相違にタイミング・アドバンスの議論が無関係であるようにペイロード・データの一構成部分であるに過ぎないとみなすものとする。更に、ペイロード・データの一部分の選択及び除去についての本願の記載は全て、ペイロード・データ５４５が巡回プレフィックスを含み得るものとする。詳細Ｂ５０４に示すように、時間領域においてタイミング・アドバンス（ＴＡＤ）５２７とおおよそ同等であるペイロード・データの量に対応する、ペイロード・データ５４５の第１の部分５２５が選択される。詳細Ｃ５０８によって更に例証するように、元のペイロード・データ５４５の残りの部分５４７は、ΔＴの時間遅延構成部分に等しい測定時間値５２９を有する、例証された実施例における一連のゼロとして示す予め選択された置換値で置換されたそのペイロード・データを有する。予め選択された置換値は別の値の組であり得、一実施例では、実際の論理値でないことがあり得る。例えば、一実施例では、予め選択された置換値は、低エネルギ標本の系列、又は最大エネルギ標本の系列の少なくとも一方を時間領域において含む。図５によって更に示すように、０番目のシンボルの残りの部分は、（Ｔｓ−ＴＡＤ）に対応する、ΔＴの測定時間値５２９を有する。その測定時間値５２９は、０番目のシンボルの残りの部分の「処理時間」を補償するために伝送において特定の遅延期間を挿入するために利用される。しかし、送信前処理を何ら受けずに、置換値が挿入されて０番目のシンボルが送信されるに過ぎないので、通常のシンボルに対する実際の処理は何ら行われない。
【００３１】
一般に、タイミング・アドバンスのシンボル・レベル実現形態では、ＳＰＵ１２２は、単に、影響を受けた打ち切られたシンボル（０番目のシンボル）のＯＦＤＭシンボルを計算せず、単に、ＯＦＤＭシンボルの部分的な時間計算に対応する、プログラム可能な遅延の処理時間への挿入により、その処理をバイパスすることにより、より少ない時間でフルＯＦＤＭシンボルを計算しなければならないという課題を扱う。本明細書及び特許請求の範囲に記載するように、シンボル・レベルでは、プログラム可能な遅延は、一シンボルの遅延から所望のタイミング・アドバンスを減算した結果であるとみなされる。ＰＳＵ１２２は次いで、０番目のシンボルを省略し、プログラム可能な遅延を待った後、１番目のシンボルから送信前処理の実行を開始する。
【００３２】
更にずっと長いタイミング・アドバンスを扱うために複数のシンボルの部分を打ち切らなければならない別の実施例では、ＳＰＵ１２２は、単一のサブフレーム内で、又は複数のサブフレームにわたって、複数のシンボルの送信前処理を省略し、かつ／又はバイパスすることが可能である。ロング・ターム・エボリューション（ＬＴＥ）プロトコルでは、ＬＴＥ  ＴＸ処理は、シンボル毎に逆高速フーリエ変換（ｉＦＦＴ）演算を必要とする。本開示外では、タイミング・アドバンスによる、シンボル０において伝送される標本の削減は、そのシンボル及び／又はそのサブフレームにおける処理要求における同等の削減をもたらさない。ＵＥ１００はよって、更に少ない時間で同じ量のシンボルを処理しなければならないことに直面する。説明された実施例は、タイミング・アドバンスによって影響を受けるシンボルのｉＦＦＴ処理を行わないことにより、この課題を解決する。しかし、処理を完全に回避することにより、タイミング・アドバンスに必要な時間を上回る時間が節減される。ＳＰＵ１２２は、節減される更なる時間に対応する遅延期間を挿入することにより、この更なる時間に対応する。
【００３３】
例えば、ＬＴＥプロトコルでは、最大タイミング・アドバンスは通常、１６．６μｓであり、シンボル０（０番目のシンボル）は通常、（時間領域において）通常巡回プレフィックス・サブフレームの場合、持続時間が７１．９μｓであり、拡張巡回プレフィックス・サブフレームの場合、持続時間が８３．３３３３μｓである。ＳＰＵ１２２は、少なくとも１つのサブフレームから一シンボルの少なくとも１６．６μｓを廃棄し、次いで、遅延（ΔＴ）を挿入して、シンボルの通常ｉＦＦＴ処理時間の残りに対応する。具体例として、ＬＴＥネットワーク環境では、ｅＮＢは、１０μｓの指示されたメンテナンス・タイミング・アドバンスを要求することが可能である。本開示によって導入された新規な局面により、通常のサブフレームの場合の７１．９μｓの計算をＵＥ１００が６１．９μｓで処理することを要求するのでなく、ＳＰＵ１２２はシンボルを６１．９μｓのゼロ挿入に変換する。その場合、０番目のシンボルは、ｉＦＦＴ処理について完全に省略される。ＳＰＵ１２２は、次いで、少なくとも１つのシンボルの処理を完全にバイパスし、単に、時間遅延（ΔＴ）に続く予め選択された置換値を有する未処理シンボルを送信することにより、タイミング・アドバンスについて既に補償しており、通常の処理速度で後続シンボルを処理することが可能である。よって、ＵＥ１００は、重複するハードウェア又はより高速のクロックを有することなく、又は要求することなく、ＬＴＥ仕様に準拠したメンテナンス・タイミング・アドバンスを行う機能を獲得する。当該新方式はよって、更に、節電及び回路面積の削減をもたらす。
【００３４】
上記例によって示すように、本開示の一局面は、最大１６．６μｓのタイミング遅延である、ＬＴＥシンボルの巡回部分に適用可能な５μｓの時間分を超えるタイミング・アドバンスの拡張である。更に、本明細書及び特許請求の範囲記載の実施例では、更に大きなタイミング・アドバンスも考えられる。これらは、上りリンク通信の場合に無線通信ネットワーク（２００）内、及び／又はＵＥ１０２によって利用されている特定の通信プロトコルに依存し得る。
【００３５】
次に図６を参照し、続いて図１、図２、及び図５を参照すれば、図６は、シンボル・レベルで処理が行われた状態で、例示的なＵＥ１００においてタイミング・アドバンスを実現する方法のフロー図を提供する。タイミング・アドバンス処理を行うことの一部として、送信前処理では、ＵＥ１００から基地局（１７０）に送信される各サブフレーム内のシンボルは、上りリンク通信１３７によって送信される前に（例えば、ＤＳＰ１２２を介して）処理される。
【００３６】
フロー図を参照するに、方法６００は、開始ブロック６０２に始まり、送信前処理のためにスケジューリングされた少なくとも１つのサブフレームを選択する工程（ブロック６０４）、及び、少なくとも１つのサブフレームそれぞれの少なくとも１つの選択シンボルの持続時間を削減して、少なくとも１つの削減持続時間サブフレームを生成する工程（ブロック６０６）の機能を提供するブロック６０４乃至６１２を通って進む。一実施例では、削減持続時間サブフレームは、少なくとも１つの選択シンボルのペイロード・データの少なくとも一部分を廃棄することにより、少なくとも１つのサブフレームを打ち切ることによって生成される（ブロック６０６）。方法は次いで、予め選択された置換値で、少なくとも１つの選択されたシンボルそれぞれのペイロード・データの残りの部分を置換する工程（ブロック６０８）と、少なくとも１つの削減持続時間サブフレームの送信前処理中に少なくとも１つの選択シンボルそれぞれをバイパスする工程（ブロック６１０）と、サブフレーム内に他のシンボルが残っているとの判定（ブロック６１２）に基づいて、少なくとも１つの削減持続時間サブフレームの何れかの残りのシンボルの送信前処理を行う工程（ブロック６１４）とを含む。本開示によれば、方法は、フル・サブフレームとして、少なくとも１つのサブフレームに対する隣接するサブフレームを処理する工程（ブロック６１８）と、フル・シンボルの送信前処理を行うための通常時間からタイミング・アドバンスの量を減算した結果に対応する、サブフレームの処理時間における遅延を挿入する工程（ブロック６２０）と、基地局に向けて、上りリンク通信を介して、非処理打ち切りシンボル及び処理されたフル・シンボルを含む少なくとも１つの削減持続時間サブフレームとともに隣接サブフレームを送信する工程（ブロック６２２）とを含む。よって、少なくとも１つの削減持続時間サブフレームのシンボルの処理時間が、少なくとも、タイミング・アドバンスの値だけ削減される。
【００３７】
上記方法により、少なくとも１つのサブフレームそれぞれが、ペイロード・データを有する少なくとも１つのシンボルを備え、少なくとも１つの削減持続時間サブフレームの選択シンボルそれぞれの持続時間における削減の組み合わせは実質的に、タイミング・アドバンスの値に等しい。最後に、一実施例では、削減持続時間サブフレーム内の各シンボルが選択シンボルである場合、処理装置は、予め選択された置換値の系列でサブフレーム全体を置換し、サブフレーム全体の送信前処理をバイパスする。
【００３８】
一実施例によれば、ブロック６１２において行われた判定に対する否定的応答に基づいて、方法では更に、削減持続時間サブフレーム内の各シンボルが選択シンボルである場合、ペイロード・データの残り部分を置換する工程が、予め選択された置換値の系列でサブフレーム全体を置換する工程を含み、方法は、サブフレーム全体の送信前処理をバイパスする工程（ブロック６１６）を提供する。次いで、時間遅延の挿入、上りリンク通信上のサブフレームの伝送に続いて、方法６００はブロック６２４で終了する。
【００３９】
本開示の上記機能的局面が図１及び図２の観点から説明される場合、本開示は概括的には、無線通信ネットワーク２００内で通信するＵＥ１００を提供し、ＵＥ１００は、トランシーバ１３０と、トランシーバ１３０に結合され、ネットワーク（２００）の基地局（１７０）とのＵＥ１００の上りリンク通信１３７中のタイミング・アドバンスの起動に応じて、上記方法の種々の機能を実現する信号処理装置１２２とを備える。よって、信号処理装置は、送信前処理のためにスケジューリングされた少なくとも１つのサブフレームを選択し、少なくとも１つのサブフレームそれぞれの少なくとも１つの選択シンボルの持続時間を削減して少なくとも１つの削減持続時間サブフレームを生成し、予め選択された置換値で、少なくとも１つの選択シンボルそれぞれのペイロード・データの残りの部分を置換し、少なくとも１つの削減持続時間サブフレームの送信前処理中に少なくとも１つの選択シンボルそれぞれをバイパスし、少なくとも１つのサブフレームの何れかの残りのシンボルの送信前処理を行い、基地局に向けて、上りリンク・ストリームを介して少なくとも１つの削減持続時間サブストリームを送信する。一実施例では、ＳＰＵ１２２は更に、フル・シンボルの送信前処理を行うための通常時間からタイミング・アドバンスの量を減算した結果に対応するサブフレームの処理時間における遅延を挿入する。よって、少なくとも１つの削減持続時間サブフレームのシンボルの処理時間が、少なくとも、タイミング・アドバンスの値だけ削減される。
【００４０】
一実施例では、信号処理装置１２２は更に、少なくとも１つの選択シンボルのペイロード・データの少なくとも一部分を廃棄することにより、少なくとも１つのサブフレームを打ち切り、フル・サブフレームとして、少なくとも１つのサブフレームに対する隣接サブフレームを処理し、上りリンク通信内で隣接サブフレーム及び少なくとも１つの削減持続時間サブフレームを送信する。更に、一実施例では、信号処理装置は、少なくとも１つのサブフレームの対応する重複する複製内の少なくとも１つのサブフレームそれぞれのペイロード部分の完全な複製を処理し、少なくとも１つのサブフレームの各シンボルの完全なペイロード部分の処理済バージョンを有するフル・サブフレームとして少なくとも１つのサブフレームの重複する複製で上りリンク通信を補足する。前述の機能シーケンスにより、対応する重複する複製が、上りリンク通信上で生じる伝送エラーからの効率的なデータ回復を可能にするよう生成され、少なくとも１つの削減持続時間サブフレーム内の予め選択された置換値の組み入れにより、予め選択された置換値を有するシンボルの受信に応じて、少なくとも１つのサブフレームから欠落しているペイロード・データを回復するためのエラー訂正機構及びデータ回復アルゴリズムの一方を適用するよう基地局がトリガされる。
【００４１】
本出願において提示し、説明した種々の図におけるフロー図及びブロック図は、本発明の種々の実施例による、システム、方法、及びコンピュータ・プログラム・プロダクトの考えられる実現形態のアーキテクチャ、機能、及び動作を示す。この点で、フロー図又はブロック図における各ブロックは、特定された論理機能を実現するための１つ又は複数の実行可能な命令を含むコードの部分、セグメント、又はモジュールを表し得る。更に、一部の別の実現形態では、ブロック内に記載された機能は、図に記載された順序に関係なく行い得る。例えば、連続で示す２つのブロックは実際には、ほぼ同時に実行し得、又は、ブロックは、場合によっては、関係する機能に応じて、逆の順序で実行し得る。よって、方法処理を特定の順序で説明し、示しているが、処理の特定の順序を使用していることは、本発明に対する限定を何ら示唆することを意味するものでない。本発明の趣旨又は範囲から逸脱しない限り、処理の順序に対する変更を行い得る。したがって、特定の順序の使用は、限定的な意味合いで解されないものとし、本発明の範囲は特許請求の範囲及びその均等物に及ぶ。
【００４２】
一部の実現形態では、本発明の趣旨及び範囲から逸脱しない限り、方法の特定の処理は、組み合わせ、同時に、若しくは別の順序で行い、又は、場合によっては割愛する。更に、ブロック図及び／又はフロー図の各ブロック、並びに、ブロック図及び／又はフロー図におけるブロックの組み合わせは、特定された機能若しくは工程を行う特殊用途向のハードウェア・ベースのシステム、又は、特殊用途向けハードウェア及びコンピュータ命令の組み合わせによって実現することが可能である。
【００４３】
本発明は、例示的な実施例を参照して説明してきたが、本発明の範囲から逸脱しない限り、種々の変更を行い、均等物でその構成要素を置換し得るということを当業者は理解するであろう。更に、本発明の本質的な範囲から逸脱しない限り、特定のシステム、デバイス、又は構成部分を本発明の教示に適合させるよう多くの修正を行い得る。したがって、本発明を行うために開示された特定の実施例に本発明を限定しないが、本発明が、特許請求の範囲記載の範囲内に収まる実施例全てを含むことを意図している。更に、第１、第２等の語の使用は、何れの順序又は重要性を表すものでなく、むしろ、第１、第２等の語は、一要素を別の要素と区別するために使用される。
【００４４】
本明細書記載の用語は、特定の実施例を説明する目的のためであり、本発明を限定することを意図するものでない。本明細書の原文記載の単数形「ａ」、「ａｎ」、及び「ｔｈｅ」は、そうでないと前後関係が明確に示していない限り、複数系も包含することを意図している。更に、本明細書の原文記載の「ｃｏｍｐｒｉｓｅｓ」及び／又は「ｃｏｍｐｒｉｓｉｎｇ」の語は、記載された構成、整数、工程、動作、構成要素、及び／又は構成部分の存在を規定するが、１つ又は複数の他の構成、整数、工程、動作、構成要素、構成部分、及び／又はその群の存在又は追加を排除するものでない。
【００４５】
特許請求の範囲におけるミーンズ又はステップ・プラス・ファンクションの構成要素全ての対応する構造、材料、動作、及び均等物は、特許請求の範囲に具体的に記載された他の構成要素との組み合わせで機能を行うための何れかの構造、材料、又は動作を含むことを意図している。本発明の説明は、例証及び説明の目的で提示しているが、網羅的であることを意図しておらず、又は、開示された形態における本発明に限定することを意図していない。
【００４６】
多くの修正及び変形は、本発明の範囲及び趣旨から逸脱しない限り、当業者に明らかになるであろう。上記実施例は、本発明の原理、及び実用的な応用分野を最もうまく説明し、想定される特定の用途に合うように種々の修正とともに種々の実施例について本発明を、当該技術分野において通常の知識を有する他者が理解することを可能にするために選ばれ、説明されている。
【図１】
0005876163.tif 000002
【図２】
0005876163.tif 000003
【図３】
0005876163.tif 000004
【図４】
0005876163.tif 000005
【図５】
0005876163.tif 000006
【図６】
0005876163.tif 000007